(57)【要約】      （修正有）【課題】多くの衣服ハンガーを掛止可能な衣服ハンガー収納具を提供する。【解決手段】衣服ハンガー収納具１は、一対の台座２，２と、一対の台座２，２から鉛直方向に延出された一対の支持部材３，３と、一対の支持部材３，３に架設された第１掛止桿４１と、第１掛止桿４１の下方に間隔をあけて設けられ且つ第１掛止桿４１と平行に設けられた第２掛止桿４２と、一対の支持部材３，３の下端部に架設された補強桿５と、を有する。【選択図】図１
0003199524.tif 000002
【実用新案登録請求の範囲】
【請求項１】
一対の支持部材と、
前記一対の支持部材間に架設された、衣服ハンガーを掛止可能な第１掛止桿と、
前記第１掛止桿の下方に間隔をあけて設けられ且つ前記第１掛止桿と平行に設けられた、衣服ハンガーを掛止可能な第２掛止桿と、を有する衣服ハンガー収納具。
【請求項２】
前記第１掛止桿の軸芯と前記第２掛止桿の軸芯の間隔が３５ｍｍ〜１００ｍｍであり、且つ、前記第１掛止桿の軸芯と前記第２掛止桿の軸芯を結ぶ仮想直線と鉛直線の成す角度が０°となるように構成された、請求項１に記載の衣服ハンガー収納具。
【請求項３】
前記第１掛止桿の軸芯と前記第２掛止桿の軸芯の間隔が３５ｍｍ〜１５０ｍｍであり、且つ、前記第１掛止桿の軸芯と前記第２掛止桿の軸芯を結ぶ仮想直線と鉛直線の成す角度が０°より大きく３０°以下となるように構成された、請求項１に記載の衣服ハンガー収納具。
【考案の詳細な説明】
【技術分野】
【０００１】
本考案は、複数の掛止桿を有する衣服ハンガー収納具に関する。
【背景技術】
【０００２】
衣服を保管するための道具として、ハンガーが一般的に用いられている。ハンガーは、通常、フック部と、フック部下端から左斜め下方に延出した一方の肩部と、フック部の下端から右斜め下方に延出した他方の肩部と、を有している。両肩部に衣服の肩部を引っ掛けることにより、ハンガーと衣服から成る衣服ハンガーを構成することができ、この衣服ハンガーのフック部を適当な棒状部材に吊り下げる（掛止する）ことにより衣服を保管することができる。
ここで、従来、掛止桿を有する衣服ハンガー収納具が知られている（例えば、特許文献１）。掛止桿は、衣服ハンガーが掛止される棒状部材である。特許文献１に記載の衣服ハンガー収納具は、クローゼットに収納されることにより、クローゼットの衣服の収納性を向上させることができる。
【０００３】
しかしながら、特許文献１に記載の衣服ハンガー収納具は、衣服ハンガーを十分に掛止することができない（即ち、衣服ハンガーの掛け数が不十分である）という問題点がある。
具体的には、衣服ハンガー収納具の掛止桿に衣服ハンガーを掛止していくと、掛止桿の長手方向に衣服ハンガーが揃って並んだ状態となる。衣服は、シャツ等のような薄手生地のものから、スーツ等のような厚手生地のものまで様々で、スーツ等の衣服は、その構造上、肩部が他の部分に比して厚くなっている。また、ハンガーについても様々な形状のものが知られているが、衣服の形を崩さないように肩部を厚肉化したものが多く用いられている。このように肩部が厚肉化した衣服及び／又はハンガーを有する衣服ハンガーを、衣服ハンガー収納具の掛止桿に掛止した場合、衣服ハンガーを左右に詰めようとしても、隣合う衣服ハンガーの厚肉部分が接触するため、該厚肉部分よりも狭く詰めることができない。従って、衣服ハンガー収納具に衣服ハンガーを十分に掛止することができない。
【先行技術文献】
【特許文献】
【０００４】
【特許文献１】特開平１０−５２３２６号公報
【考案の概要】
【考案が解決しようとする課題】
【０００５】
本考案は、より多くの衣服ハンガーを掛止可能な衣服ハンガー収納具を提供することを課題とする。
【課題を解決するための手段】
【０００６】
本考案の衣服ハンガー収納具は、一対の支持部材と、前記一対の支持部材間に架設された、衣服ハンガーを掛止可能な第１掛止桿と、前記第１掛止桿の下方に間隔をあけて設けられ且つ前記第１掛止桿と平行に設けられた、衣服ハンガーを掛止可能な第２掛止桿と、を有する。
【０００７】
本考案の好ましい衣服ハンガー収納具は、前記第１掛止桿の軸芯と前記第２掛止桿の軸芯の間隔が３５ｍｍ〜１００ｍｍであり、且つ、前記第１掛止桿の軸芯と前記第２掛止桿の軸芯を結ぶ仮想直線と鉛直線の成す角度が０°となるように構成されている。
また、本考案の他の好ましい衣服ハンガー収納具は、前記第１掛止桿の軸芯と前記第２掛止桿の軸芯の間隔が３５ｍｍ〜１５０ｍｍであり、且つ、前記第１掛止桿の軸芯と前記第２掛止桿の軸芯を結ぶ仮想直線と鉛直線の成す角度が０°より大きく３０°以下となるように構成されている。
【考案の効果】
【０００８】
本考案の衣服ハンガー収納具は、少なくとも第１掛止桿と第２掛止桿を有しており、両掛止桿に衣服ハンガーを掛止することができる。そのため、多くの衣服ハンガーを収納することができる。
【図面の簡単な説明】
【０００９】
【図１】第１実施形態に係る衣服ハンガー収納具の斜視図。
【図２】図１のＩＩ−ＩＩ線断面図。
【図３】第１実施形態に係る衣服ハンガー収納具に衣服ハンガーを掛止した状態を表す参考側面図。
【図４】第１実施形態に係る衣服ハンガー収納具に衣服ハンガーを掛止した状態を表す正面図。
【図５】第２実施形態に係る衣服ハンガー収納具の斜視図。
【図６】図５のＶＩ−ＶＩ線断面図。
【図７】第２実施形態に係る衣服ハンガー収納具に衣服ハンガーを掛止した状態を表参考側面図。
【図８】第１実施形態に係る衣服ハンガー収納具に衣服ハンガーを掛止した状態を表す正面図。
【図９】第３実施形態に係る衣服ハンガー収納具の一部を表す斜視図。
【図１０】第４実施形態に係る衣服ハンガー収納具を表す斜視図。
【図１１】第５実施形態に係る衣服ハンガー収納具の一部を表す斜視図。
【図１２】第６実施形態に係る衣服ハンガー収納具の一部を表す斜視図。
【図１３】第６実施形態に係る衣服ハンガー収納具の一部を表す正面図。
【図１４】図１３のＸＩＶ−ＸＩＶ線断面図。
【図１５】第７実施形態に係る衣服ハンガー収納具の斜視図。
【図１６】第８実施形態に係る衣服ハンガー収納具の斜視図。
【図１７】第９実施形態に係る衣服ハンガー収納具の斜視図。
【図１８】第１０実施形態に係る衣服ハンガー収納具の斜視図。
【図１９】第１１実施形態に係る衣服ハンガー収納具を表す斜視図。
【図２０】第１２実施形態に係る衣服ハンガー収納具を表す斜視図。
【図２１】第１３実施形態に係る衣服ハンガー収納具を表す斜視図。
【図２２】第１４実施形態に係る衣服ハンガー収納具を表す斜視図。
【図２３】第１５実施形態に係る衣服ハンガー収納具を表す斜視図。
【図２４】第１５実施形態に係る衣服ハンガー収納具の内側を表す斜視図。
【考案を実施するための形態】
【００１０】
以下、本考案について具体的に説明する。
なお、本明細書において、「上」とは鉛直方向の天側を意味し、「下」とは鉛直方向の地側を意味する。鉛直方向とは、重力が作用する方向、即ち、水平面に対して垂直な方向である。本明細書において、衣服ハンガー収納具は、水平な床面（水平面）に載置された状態を基準としており、この状態に基づいて各部材の位置関係を説明している。
また、角度及びその関係（例えば、直交、平行、３０°など）は、本考案の属する技術分野において許容される誤差範囲を含むものとする。例えば、誤差範囲は、厳密な角度±３°の範囲内であり、好ましくは、±２°の範囲内である。
また、衣服ハンガー収納具を構成する各部材について、第１や第２などの接頭辞を付す場合があるが、これらの接頭辞は特別な意味（例えば、優劣や順序）を持たず、単に各部材を区別するために用いられている。
さらに、「ＰＰＰ〜ＱＱＱ」という記載は、「ＰＰＰ以上ＱＱＱ以下」を意味する。
【００１１】
以下、本考案の衣服ハンガー収納具について、図面を参照しつつ説明する。
本明細書では、第１実施形態に係る衣服ハンガー収納具について説明をした後、第２実施形態乃至第１５実施形態に係る衣服ハンガー収納具について説明する。但し、第２実施形態乃至第１５実施形態に係る衣服ハンガー収納具の説明について、他実施形態と同様の構成や効果については、その説明を省略し、用語及び符号を援用する場合がある。
【００１２】
［第１実施形態］
図１に示すように、第１実施形態に係る衣服ハンガー収納具１は、一対の台座２，２と、一対の台座２，２から鉛直方向に延出された一対の支持部材３，３と、一対の支持部材３，３に架設された第１掛止桿４１と、第１掛止桿４１の下方に間隔をあけて設けられ且つ第１掛止桿４１と平行に設けられた第２掛止桿４２と、一対の支持部材３，３の下端部に架設された補強桿５と、を有する。なお、本明細書において、以後、接頭辞を付した掛止桿（第１掛止桿４１や第２掛止桿４２など）を単に掛止桿４と総称する場合がある。
【００１３】
（台座）
台座２は、支持部材３を支持する部材である。台座２の形状は、支持部材３を支持可能であれば、特に限定されない。例えば、本実施形態において、各台座２は、水平方向に延びる棒状部材２１と棒状部材２１の両端部に設けられたキャスター２２を有している。即ち、本実施形態では、一対の台座２，２は、それぞれ２個（計４個）のキャスター２２を有しており、このキャスター２２によって、衣服ハンガー収納具１は、床面（衣服ハンガー収納具１が載置される面）を水平方向に移送可能とされている。
なお、特に図示しないが、その他にも、棒状部材２１のみを有する台座２（第１実施形態の台座２からキャスター２２を除いたもの）や、平面視円盤状の台座２などを用いることも可能である。
なお、本考案において台座２は必須ではなく、例えば、支持部材３が自立可能な形状である場合、台座２を省略することもできる。
【００１４】
（支持部材）
支持部材３は、後述する掛止桿４を支持する部材である。本実施形態では、支持部材３は、台座２から上方に垂直に延設されている。支持部材３は、台座２に溶接されていてもよいし、適当な取り付け手段を介して台座２に固定されていてもよい（後述する掛止桿４及び補強桿５についても同様である）。なお、本考案において、衣服ハンガー収納具１は、少なくとも２つ（一対）の支持部材３を有していればよく、特に図示しないが、３つ以上の支持部材３を有していてもよい。
本実施形態では、支持部材３は、細長状の支柱である。各支持部材３は、各台座２の棒状部材２１の長さ方向中央部から上方に延設されている。支持部材３の長さは特に限定されず、衣服ハンガー収納具を使用する部屋の天井の高さに合わせて適宜設定することができる。例えば、支持部材３の長さは、０．５ｍ〜３ｍであり、好ましくは１ｍ〜３ｍであり、より好ましくは１．５ｍ〜２．５ｍである。
【００１５】
支持部材３は、その長さを適宜変更できる構造を有することが好ましい。
例えば、本実施形態では、支持部材３（支柱）は、中入れ式の上下２本の縦棒３ａ，３ｂと止め具３ｃを有する。下方縦棒３ｂは筒状構造を有する棒状部材であり、上方縦棒３ａは下方縦棒３ｂの内径よりも小さな外径を有する棒状部材である。従って、下方縦棒３ｂの上端開口部から上方縦棒３ａを挿入することができ、上方縦棒３ａの挿入長さを変更することにより支持部材３全体の長さを適宜変更することができる。止め具３ｃは、上方縦棒２ａを下方縦棒３ｂ内における任意の位置で固定する部材であり、例えば、下方縦棒３ｂの外側から内側に貫通して設けられたネジ穴に螺合可能なネジなどが挙げられる。
なお、特に図示しないが、中入れ式の支持部材３を採用する場合、上方縦棒３ａの構成と下方縦棒３ｂの構成を入れ替えてもよい。即ち、上方縦棒３ａの下端開口部に下方縦棒３ｂを挿入する構成であってもよい。
【００１６】
（補強桿）
本実施形態では、一対の支持部材３，３の下端部に補強桿５が架設されている。一対の支持部材３，３、掛止桿４、及び補強桿５によって環状の枠構造が構成されることにより、衣服ハンガー収納具１全体の強度が向上する。
もっとも、本考案では、補強桿５は必須ではないため適宜省略することもできる。また、特に図示しないが、補強桿５は、一対の台座２，２に架設されていてもよい。
【００１７】
（掛止桿）
掛止桿４は、衣服ハンガーを掛止可能な棒状部材である。本実施形態において、図２に示すように、第１掛止桿４１は、一対の支持部材３，３（上方縦棒３ａ）の上端部に架設されており、第２掛止桿４２は一対の支持部材３，３（上方縦棒３ａ）の上端部であって第１掛止桿４１が架設された部分よりもやや下方に架設されている。第１掛止桿４１は、水平面と平行となるように設けられ、第２掛止桿４２は、第１掛止桿４１と平行となるように設けられている。
本実施形態では、第１及び第２掛止桿４１，４２は、共に上方縦棒３ａの内側面（一対の上方縦棒３ａが向かい合った側面）同士を架け渡すように設けられており、第１掛止桿４１の軸芯４１０と第２掛止桿４２の軸芯４２０を結ぶ仮想直線Ｘが鉛直線Ｙと平行である。換言すれば、本実施形態において、第１掛止桿４１の軸芯４１０と第２掛止桿４２の軸芯４２０を結ぶ仮想直線Ｘと鉛直線Ｙとの成す角度αは、０°であり、第２掛止桿４２は、第１掛止桿の真下に設けられている。なお、本実施形態では角度αが０°であるため、角度αは不図示である。
【００１８】
本実施形態において、第１掛止桿４１の軸芯４１０と第２掛止桿４２の軸芯４２０の間隔Ｍは、特に限定されないが、第１掛止桿４１に掛止された衣服ハンガーの厚肉部（肩部及び中央部）と第２掛止桿４２に掛止された衣服ハンガーの厚肉部が接触しない範囲に設定されることが好ましい。
具体的には、本実施形態において、第１掛止桿４１の軸芯４１０と第２掛止桿の４２軸芯４２０の間隔Ｍの下限値は、好ましくは３５ｍｍであり、より好ましくは４０ｍｍであり、特に好ましくは５０ｍｍである。また、間隔Ｍの上限値は、好ましくは１００ｍｍであり、より好ましくは８０ｍｍであり、特に好ましくは６０ｍｍである。
【００１９】
本実施形態において、間隔Ｍが３５ｍｍ以上であれば、第１及び第２掛止桿４１，４２により多くの衣服ハンガーを掛止させることができる。また、本実施形態において、間隔Ｍが１００ｍｍ以下であれば、衣服ハンガーの識別性を向上させることができる。以下、これらの効果について図３及び図４を参照しつつ説明する。
図３は、第１実施形態に係る衣服ハンガー収納具１の第１掛止桿４１と第２掛止桿４２に、それぞれ衣服ハンガーを掛止させた状態を表す参考側面図であり、図４は、同状態の正面図である。
以下、第１掛止桿４１に掛止された衣服ハンガーを第１衣服ハンガーＡと称し、第２掛止桿４２に掛止された衣服ハンガーを第２衣服ハンガーＢと称する場合がある。
【００２０】
図３に示すように、本実施形態において、間隔Ｍが３５ｍｍ以上である場合、第１衣服ハンガーＡの厚肉部は第２衣服ハンガーＢの厚肉部と干渉し難くなる。従って、第１衣服ハンガーＡを多数掛止した場合であっても、第１衣服ハンガーＡによって第２衣服ハンガーＢの掛け数が制限され難い。従って、多くの衣服ハンガーを収納することができる。
他方、間隔Ｍの長さが３５ｍｍよりも短い場合、衣服ハンガーの種類にも依るが、第１衣服ハンガーＡの厚肉部と第２衣服ハンガーＢの厚肉部が干渉し易くなり、第２衣服ハンガーＢの掛け数が制限され易くなる虞がある。
【００２１】
また、本実施形態において、間隔Ｍが１００ｍｍ以下である場合、第１衣服ハンガーＡは、そのフック部が第２掛止桿４２と干渉し易くなる。図３に示すように、第１衣服ハンガーＡのフック部と第２掛止桿４２が干渉すると、第１衣服ハンガーＡは、その厚肉部が傾斜した状態（一方の肩部が他方の肩部よりも下側に位置した状態）で第１掛止桿４１に掛止される。他方、第２衣服ハンガーＢは、その一方の肩部と他方の肩部が同じ高さに位置した状態で第２掛止桿４２に掛止される。
第１衣服ハンガーＡは、第１掛止桿４１に掛止された際、その厚肉部が傾斜するため、その一方の肩部が第２衣服ハンガーＢの一方の肩部よりも後方に位置することとなる。従って、第１衣服ハンガーＡに掛けられた衣服によって第２衣服ハンガーＢが隠され難くなり、第１衣服ハンガーＡに丈の長い衣服を掛けた場合であっても、第２衣服ハンガーＢを容易に識別することができ、その結果、所望の衣服を短時間で探し出すことができる。即ち、本実施形態において、間隔Ｍを１００ｍｍ以下とすることで、第１衣服ハンガーＡと第２衣服ハンガーＢの肩部の位置を前後方向に位置ズレさせることにより両衣服ハンガーＡ，Ｂの識別性を高めることができる。
他方、間隔Ｍが１００ｍｍよりも長い場合、衣服ハンガーの種類にも依るが、第２掛止桿４２が第１衣服ハンガーＡの厚肉部よりも下方に位置し易くなる。この場合、第１衣服ハンガーＡが第２掛止桿４２に干渉せず、その厚肉部を傾斜させることができなくなり、その結果、両衣服ハンガーＡ，Ｂの識別性を高めることができない虞がある。
【００２２】
衣服ハンガー収納具１の構成部材（本実施形態では、台座２（棒状部材２１）、支持部材３、掛止桿４、及び補強桿５）の形成材料は特に限定されないが、通常、外径６ｍｍ〜２５ｍｍ程度の金属製線材が用いられる。なお、外径とは、衣服ハンガー収納具１の構成部材を断面視した際、その断面形状の外縁の第１点と前記第１点と独立した断面形状の外縁の第２点を結んだ無数の直線のうち、長さが最大となる直線の距離に相当する。
金属製線材に含まれる金属は特に限定されないが、一般的には、鉄、ステンレス、アルミニウムなどが挙げられる。また、金属製線材の断面形状も特に限定されず、中実又は中空の断面円形状、断面矩形状、断面三角形状などが挙げられる。後述する、第２実施形態乃至第１５実施形態に係る衣服ハンガー収納具１の各構成部材についても同様である。なお、掛止桿４については、好ましくは外径６ｍｍ〜２０ｍｍ、より好ましくは６ｍｍ〜１５ｍｍの金属製線材が用いられ、該金属製線材は、中空の断面円形状を有することが好ましい。
衣服ハンガー収納具１の各構成部材は、同一材料から形成されていてもよいし、異なる材料から形成されていてもよい。また、各構成部材の外径は同じであってもよいし、異なっていてもよい。例えば、第１掛止桿４１と第２掛止桿４２は、その外径が異なっていてもよい。
【００２３】
［第２実施形態］
図５及び図６に示すように、第２実施形態に係る衣服ハンガー収納具１において、第１掛止桿４１は、上方縦棒３ａの内側面（一対の上方縦棒３ａが向かい合った側面）同士を架け渡すように設けられており、第２掛止桿４２は、上方縦棒３ａの前側面（台座２の延出方向に臨んだ側面）同士を架け渡すように設けられている。換言すれば、本実施形態において、第２掛止桿４２は、第１掛止桿４１の斜め下方に設けられており、第１掛止桿４１の軸芯４１０と第２掛止間４２の軸芯４２０を結ぶ仮想直線Ｘと鉛直線Ｙとの成す角度αは、０°より大きくなるように構成されている。なお、仮想直線Ｘと鉛直線Ｙとの成す角度は、２種類（鋭角と鈍角）存在するが、本明細書では、鋭角を角度αとする。
【００２４】
図７は、第２実施形態に係る衣服ハンガー収納具１の第１掛止桿４１と第２掛止桿４２に、それぞれ衣服ハンガーを掛止させた状態を表す拡大側面図であり、図８は、同正面図である。
本実施形態では、仮想直線Ｘと鉛直線Ｙとの成す角度αが０°より大きいため、第１実施形態とは異なり、第１衣服ハンガーＡが第２掛止桿４２に干渉せず、第１衣服ハンガーＡの厚肉部は傾斜しない。しかし、本実施形態では、角度αが０°より大きいため、第２衣服ハンガーＢの一方の肩部が第１衣服ハンガーＡの一方の肩部よりも前方に突出する。従って、第１衣服ハンガーＡと第２衣服ハンガーＢの肩部の位置を前後方向に位置ズレさせることができ、両衣服ハンガーＡ，Ｂの識別性を高めることができる。
【００２５】
本実施形態において、仮想直線Ｘと鉛直線Ｙとの成す角度α、及び、第１掛止桿４１の軸芯４１０と第２掛止桿４２の軸芯４２０の間隔Ｍは、特に限定されず、第１衣服ハンガーＡの厚肉部（肩部及び中央部）と第２衣服ハンガーＢの厚肉部が接触しない範囲に設定されることが好ましい。
具体的には、本実施形態において、仮想直線Ｘと鉛直線Ｙとの成す角度αの下限値は、好ましくは３°であり、より好ましくは５°であり、特に好ましくは１０°である。また、その上限値は、好ましくは３０°であり、より好ましくは２５°であり、特に好ましくは２０°である。本実施形態において、間隔Ｍの下限値は、好ましくは３５ｍｍであり、より好ましくは４０ｍｍであり、特に好ましくは５０ｍｍである。また、間隔Ｍの上限値は、好ましくは１５０ｍｍであり、より好ましくは１００ｍｍであり、さらに好ましくは８０ｍｍであり、特に好ましくは６０ｍｍである。
【００２６】
本実施形態において、間隔Ｍが３５ｍｍよりも短い場合、衣服ハンガーの種類にも依るが、第１衣服ハンガーＡの厚肉部と第２衣服ハンガーＢの厚肉部が干渉し易くなり、第２衣服ハンガーＢの掛け数が制限され易くなる虞がある。
また、本実施形態において、間隔Ｍが１５０ｍｍよりも長い場合、角度αにも依るが、第２衣服ハンガーＢが第１衣服ハンガーＡよりも大幅に前方に突出し、衣服ハンガーを収納した衣服ハンガー収納具１が無駄に嵩張る虞がある（角度αが３０°より大きい場合についても同様である）。
【００２７】
［第３実施形態］
第３実施形態に係る衣服ハンガー収納具１は、３つの掛止桿４を有する。具体的には、図９に示すように、本実施形態に係る衣服ハンガー収納具１は、一対の支持部材３，３（支柱）間に架設された第１掛止桿４１と、第１掛止桿４１の下方に間隔をあけて設けられ且つ第１掛止桿４１と平行に設けられた第２掛止桿４２と、第２掛止桿４２の下方に間隔をあけて設けられ且つ第２掛止桿４２と平行に設けられた第３掛止桿４３と、を有する。本実施形態では、第２及び第３掛止桿４２，４３の外径は、第１掛止桿４１の外径よりも小さいが、第２掛止桿４２及び／又は第３掛止桿４３の外径は、第１掛止桿４１の外径と同じでもよく、第１掛止桿４１の外径よりも大きくてもよい。
本実施形態では、第１乃至第３掛止桿４１，４２，４３は、一対の支持部材３，３の内側面同士を掛け渡すように設けられており、各掛止桿４の軸芯を結ぶ仮想直線は鉛直方向と平行である。第２掛止桿４２の軸芯と第３掛止桿４３の軸芯の間隔については、特に限定されず、好ましくは、第１実施形態における間隔Ｍと同様である。
本実施形態に係る衣服ハンガー収納具１は、３つの掛止桿４を有するため、第１及び第２実施形態よりもさらに多くの衣服ハンガーを掛止させることができる。
なお、本実施形態においても、第２実施形態と同様に、第２掛止桿４２及び／又は第３掛止桿４３を第１掛止桿４１の斜め下方に配置してもよい。
【００２８】
［第４実施形態］
第４実施形態に係る衣服ハンガー収納具１は、ハンガー掛止具１を左右に伸縮可能であり、掛止桿４の長さを任意に変更することができる。具体的には、図１０に示すように、本実施形態に係る衣服ハンガー収納具１は、中入れ式の一対の支持部材３，３と、中入れ式の第１及び第２掛止桿４１，４２と、中入れ式の補強桿５を有している。
第１掛止桿４１は、中入れ式の左右２本の横棒４１ａ，４１ｂと止め具を有する。左方横棒４１ａは筒状構造を有する棒状部材であり、右方横棒４１ｂは左方横棒４１ａの内径よりも小さな外径を有する棒状部材である。従って、左方横棒４１ａの右端開口部から右方横棒４１ｂを挿入することができる。右方横棒４１ｂの挿入長さを変更することにより第１掛止桿４１全体の長さを適宜変更することができる。第２掛止桿４２は、第１掛止桿４１と同様の構造を有する。即ち、第２掛止桿４２は、左方横棒４２ａと、左方横棒４２ａの右端開口部に挿入される右方横棒４２ｂと、止め具を有する。なお、本実施形態では、補強桿５も掛止桿４と同様の構造を有する。
本実施形態に係る衣服ハンガー収納具１は、鉛直方向だけでなく、水平方向にも伸縮させることができ、衣服ハンガー収納具１の大きさを、その収納スペースに合わせて、任意に変更することができる。
なお、本実施形態においても、第２実施形態と同様に、第２掛止桿４２を第１掛止桿４１の斜め下方に配置してもよい。
【００２９】
［第５実施形態］
第５実施形態に係る衣服ハンガー収納具１は、３つの掛止桿４を有し且つ掛止桿４を左右に伸縮可能である。即ち、本実施形態では、衣服ハンガー収納具１は、図１１に示すように、中入れ式の一対の支持部材３，３と、第４実施形態で説明したような中入れ式の第１乃至第３掛止桿４１，４２，４３と、中入れ式の補強桿５（不図示）を有する。各掛止桿４の軸芯間の長さは、特に限定されず、好ましくは、第１実施形態と同様である。
本実施形態では、第１掛止桿４１の左方横棒４１ａの右端部近傍と第２掛止桿４２の左方横棒４２ａの右端部近傍が、鉛直方向に延びる棒状の連結部材６によって連結されており、第２掛止桿４２の左方横棒４２ａの右端部近傍と第３掛止桿４３の左方横棒４３ａの右端部近傍も、同様に、連結部材６によって連結されている。
本実施形態において、連結部材６は、各掛止桿４の間隔を保持すると共に、衣服ハンガーを多数掛止しても掛止桿４が衣服ハンガーの重みで曲がらないように各掛止桿４を補強する棒状の部材である。なお、連結部材６の位置は、本実施形態に限定されないず任意に変更することができるが、できるだけ掛止桿４の中央部に設けられることが好ましい。
なお、本実施形態においても、第２実施形態と同様に、第２掛止桿４２及び／又は第３掛止桿４３を第１掛止桿４１の斜め下方に配置してもよい。
【００３０】
［第６実施形態］
第６実施形態に係る衣服ハンガー収納具１は、第２掛止桿４２が一対の支持部材３，３に直接架設されておらず、第１掛止桿４１と第２掛止桿４２が連結部材６によって連結されている。即ち、第２掛止桿４２は、連結部材６及び第１掛止桿４１を介して、間接的に一対の支持部材３，３間に架設されている。
本実施形態では、連結部材６によって第２掛止桿４２が前後方向に揺動可能である。具体的には、図１２乃至図１４に示すように、連結部材６は、逆Ｌ字状の連結棒６１と、筒部６２と、を有する。連結棒６１は、鉛直方向に延びる連結縦棒６１１と、連結縦棒６１１の上端から水平方向に延びる連結横棒６１２と、を有している。連結縦棒６１１の下端は第２掛止桿４２の上部に固着されている。筒部６２は、その長手方向が第１掛止桿４１の長手方向と平行となるように、第１掛止桿４１の下部に固着されており、その内側に、連結横棒６１２が挿入可能である。即ち、筒部６２は、連結横棒６１２の外径よりも大きい内径を有する。従って、連結横棒６１２を筒部６２に挿入する（連結棒６１を筒部６２に遊嵌させる）ことにより、第２掛止桿４２が前後方向に揺動可能な状態で第１掛止桿４１と連結される。なお、図１４において、前後方向に揺動した状態における連結縦棒６１１及び第２掛止桿４２を破線で描いている。
【００３１】
本実施形態では、掛止桿４に衣服ハンガーを掛止しない状態では、第１実施形態と同様に、第２掛止桿４２は第１掛止桿４１の真下に位置している。しかし、第１掛止桿４１に第１衣服ハンガーを掛止すると、第１衣服ハンガーが第２掛止桿４２に干渉し（図３参照）、第２掛止桿４２が前方向に押し出される（揺動する）。その結果、第１衣服ハンガーを掛止した状態では、第２実施形態と同様に、第２掛止桿４２は第１掛止桿４１の斜め下方に位置した状態となる（図１４参照）。
従って、本実施形態においても、第２実施形態と同様に、第１衣服ハンガーと第２衣服ハンガーの識別性を高めることができる。
【００３２】
なお、本実施形態において、連結部材６は２つ設けられており、第１掛止桿４１の右端部近傍と第２掛止桿４２の右端部近傍、及び、第１掛止桿４１の左端部近傍と第２掛止桿４２の左端部近傍がそれぞれ連結部材６によって連結されている。しかし、連結部材６の数や、その連結箇所は、本実施形態に限定されず、任意に変更することが可能である。
また、本実施形態において、第１掛止桿４１の軸芯４１０と第２掛止桿の４２軸芯４２０の間隔Ｍは、特に限定されず、好ましくは第２実施形態と同様である。また、第２掛止桿４２が揺動した状態において、第１掛止桿４１の軸芯と第２掛止桿４２の軸芯を結ぶ仮想直線Ｘと鉛直線Ｙとの成す角度αは、特に限定されない。本実施形態において、角度αは、第１衣服ハンガーの形状に依存するものの、好ましくは第２実施形態と同様である。
【００３３】
［第７実施形態］
第７実施形態に係る衣服ハンガー収納具１は、一対の三角形状の支持部材３，３を有する。即ち、本実施形態では、支持部材３，３は、図１５に示すように、水平面に対して斜め上方に立設された一対の第１脚部３４，３４と、一対の第２脚部３５，３５と、を有する。両脚部３４，３５は、細長い板状部材である。
第１脚部３４は、その先端部が衣服ハンガー収納具１の後方に向かうように立設されており、第２脚部３５は、その先端部が衣服ハンガー収納具１の前方に向かうように立設されており、両脚部３４，３５の先端部は、第１脚部３４が第２脚部３５の内側に位置するように重なり合っている。両脚部３４，３５は、その先端部に挿通穴を有しており、該挿通穴に第１掛止桿４１が挿通されている。挿通穴の内径は、第１掛止桿４１の外径よりも十分に大きく、第１掛止桿４１は、挿通穴の内面に固定されていない。即ち、第１掛止桿４１は、回転自在な状態で、一対の指示部材３，３間に架設されている。
第１掛止桿４１の下方には、連結部材６を介して、第２掛止桿４２が連結されている。本実施形態では、第５実施形態と同様な棒状の連結部材６が用いられている。
【００３４】
本実施形態では、掛止桿４に衣服ハンガーを掛止しない状態では、第１実施形態と同様に、第２掛止桿４２は第１掛止桿４１の真下に位置している。しかし、第１掛止桿４１に第１衣服ハンガーを掛止すると、第１衣服ハンガーが第２掛止桿４２に干渉し（図３参照）、第１掛止桿４１が回転すると共に第２掛止桿４２が前方向に押し出される（揺動する）。その結果、第１衣服ハンガーを掛止した状態では、第２実施形態と同様に、第２掛止桿４２は第１掛止桿４１の斜め下方に位置した状態となる。
従って、本実施形態においても、第２実施形態と同様に、第１衣服ハンガーと第２衣服ハンガーの識別性を高めることができる。
【００３５】
本実施形態では、一対の支持部材３，３の下方に下棚部材９が設けられている。下棚部材９は、矩形状の外枠部９１と、該外枠部９１の内側に設けられ且つ複数の棒状部材から構成された載置部９２と、を有する。外枠部９１は、支持部材３，３の開脚度を一定に保持する部分であり、載置部９２は、荷物を載置する載置面を構成する部分である。
本実施形態において、下棚部材９は、支持部材３，３から取り外し可能に構成されている。従って、衣服ハンガー収納具１を使用しない場合、下棚部材９を支持部材３，３から取り外すことにより、一対の第１脚部３４全体が一対の第２脚部３５の内側に位置するように支持部材３，３を折り畳むことができる。そして、さらに、挿通穴に遊嵌した第１掛止桿４１を取り外すことにより、衣服ハンガー収納具１を容易に解体することができる。このように解体した衣服ハンガー収納具１は、嵩張らないため、クローゼットなど比較的狭い収納空間に保管することができる。
【００３６】
なお、本実施形態において、第１掛止桿４１の軸芯と第２掛止桿４２の軸芯の間隔は特に限定されず、好ましくは第２実施形態と同様である。また、第２掛止桿４２が揺動した状態において、第１掛止桿４１の軸芯と第２掛止桿４２の軸芯を結ぶ仮想直線と鉛直線の成す角度も特に限定されない。該角度は、ハンガーの形状に依存するものの、好ましくは第２実施形態と同様である。
【００３７】
［第８実施形態］
第８実施形態に係る衣服ハンガー収納具１は、基本的な構成は第７実施形態と同じであるが、図１６に示すように、第１掛止桿４１の下方において、一対の第１脚部３４間に第２掛止桿４２が直接架設されている。
本実施形態では、第２実施形態と同様に、第２掛止桿４２が第１掛止桿４１の斜め下方に配置されているため、衣服ハンガーの識別性を高めることができる。
なお、本実施形態において、第１掛止桿４１の軸芯と第２掛止桿４２の軸芯の間隔、及び、第１掛止桿４１の軸芯と第２掛止桿４２の軸芯を結ぶ仮想直線と鉛直線の成す角度は特に限定されないが、好ましくは第２実施形態と同様である。
【００３８】
［第９実施形態］
第９実施形態に係る衣服ハンガー収納具１は、基本的な構成は第８実施形態と同じであるが、図１７に示すように、第１掛止桿４１及び第２掛止桿４２、並びに、下棚部材９が中入れ式の構造を有している。
本実施形態では、衣服ハンガー収納具１を、左右に伸縮させることができるため、より多くの衣服ハンガーを掛止することができる。
【００３９】
［第１０実施形態］
第１０実施形態に係る衣服ハンガー収納具１は、一対のＡ字状の支持部材３，３を有する。即ち、本実施形態では、支持部材３，３は、図１８に示すように、一対のアーチ部３６，３６と、アーチ部３６の内側に架設された間隔保持部材３３と、を有する。各支持部材３は、２本の間隔保持部材３３を有しており、両間隔保持部材３３は、間隔をあけて設けられている。上側に設けられた一対の間隔保持部材３３の中央部には、第１掛止桿４１が架設されており、下側に設けられた一対の間隔保持部材３３の中央部には、第２掛止桿４２が架設されている。
なお、本実施形態において、第１掛止桿４１の軸芯と第２掛止桿４２の軸芯の間隔、及び、第１掛止桿４１の軸芯と第２掛止桿４２の軸芯を結ぶ仮想直線と鉛直線の成す角度は特に限定されないが、好ましくは第１実施形態と同様である。
【００４０】
［第１１実施形態］
第１１実施形態に係る衣服ハンガー収納具１は、一対の梯子状の支持部材３，３を有する。即ち、本実施形態では、支持部材３，３は、図１９に示すように、一対の台座２，２（棒状部材２１）の一端部近傍から上方に延設された中入れ式の一対の第１支柱３１と、一対の台座２，２の他端部近傍から上方に延設された中入れ式の一対の第２支柱３２，３２と、両支柱３１，３２の間隔を保持する２本の間隔保持部材３３と、を有する。第１支柱３１と第２支柱３２の上端部には、第１実施形態と同様に、２本の掛止桿４（第１掛止桿４１及び第２掛止桿４２）が架設されている。また、本実施形態では、一対の第１支柱３１，３１の下端部、及び、一対の第２支柱３２，３２の下端部が、それぞれ、補強桿５によって架け渡されている。
【００４１】
第１支柱３１の長さは、第２支柱３２よりも短いことが好ましく、具体的には、第１支柱３１の長さは、第２支柱３２の長さの１／３〜２／３であることが好ましい。第１支柱３１の長さを第２支柱３２よりも短くすることで、第２支柱３２，３２間に架設された掛止桿４に掛止された衣服ハンガーが、第１支柱３１，３１間に架設された掛止桿４に掛止された衣服ハンガーによって隠されず、短時間で所望の衣服を選別することができる。
また、間隔保持部材３３の長さは、特に限定されないが、好ましくは５０ｍｍ〜１５０ｍｍであり、より好ましくは５０ｍｍ〜１００ｍｍである。間隔保持部材３３が１５０ｍｍより長い場合、第２支柱３２に架設された掛止桿４に衣服ハンガーを掛止し難くなるためである。なお、本実施形態では、間隔保持部材３３は２本設けられているが、間隔保持部材３３は１本であってもよく、２本より多くてもよく、設けられていなくてもよい。
本実施形態では、一対の第１支柱３１，３１間に架設された２本の掛止桿４と、一対の第２支柱間３２，３２間に架設された２本の掛止桿４によって衣服ハンガーが掛止されるため、より多くの衣服ハンガーを収納することができる。
なお、本実施形態においても、第２実施形態と同様に、一対の第１支柱３１，３１間及び一対の第２支柱３２，３２間に設けられた第２掛止桿４２を第１掛止桿４１の斜め下方に配置してもよい。
【００４２】
［第１２実施形態］
図２０に示す第１２実施形態に係る衣服ハンガー収納具１は、基本的な構成は第１１実施形態と同じであるが、一対の第１支柱３１，３１の上端部及び一対の第２支柱３２，３２の上端部に、それぞれ、３本の掛止桿４（第１掛止桿４１、第２掛止桿４２、及び第３掛止桿４３）が架設されており、さらに、各掛止桿４の中央部同士が連結部材６によって連結されている。
本実施形態では、一対の第１支柱３１，３１間に架設された３本の掛止桿４と、一対の第２支柱３２，３２間に架設された３本の掛止桿４によって衣服ハンガーが掛止されるため、さらにより多くの衣服ハンガーを収納することができる。
なお、本実施形態においても、第２実施形態と同様に、一対の第１支柱３１，３１間及び一対の第２支柱３２，３２間に設けられた第２掛止桿４２及び／又は第３掛止桿４３を第１掛止桿４１の斜め下方に配置してもよい。
【００４３】
［第１３実施形態］
図２１に示す第１３実施形態に係る衣服ハンガー収納具１は、基本的な構成は第１１実施形態と同じであるが、一対の第１支柱３１，３１間に架設された第１掛止桿４１及び第２掛止桿４２と、一対の第２支柱３２，３２間に架設された第１掛止桿４１及び第２掛止桿４２が、中入れ式の構造を有しており、第１掛止桿４１の左方横棒４１ａと第２掛止桿４２の左方横棒４２ａの右端部近傍が、連結部材６によって連結されている。
また、一対の第１支柱３１，３１の下端部、及び、一対の第２支柱３２，３２の下端部に架け渡された２本の補強桿５も、掛止桿４と同様に、中入れ式の構造を有する。
本実施形態では、第１１実施形態と同様に、より多くの衣服ハンガーを収納できると共に、衣服ハンガー収納具１の大きさを、その収納スペースに合わせて、任意に変更することができる。
なお、本実施形態においても、第２実施形態と同様に、一対の第１支柱３１，３１間及び一対の第２支柱３２，３２間に設けられた第２掛止桿４２を第１掛止桿４１の斜め下方に配置してもよい。
【００４４】
［第１４実施形態］
図２２に示す第１４実施形態に係る衣服ハンガー収納具１は、基本的な構成は第１２実施形態と同じであるが、一対の第１支柱３１，３１間に架設された第２掛止桿４２の下方、及び、一対の第２支柱３２，３２間に架設された第２掛止桿４２の下方に、それぞれ間隔をあけて、中入れ式の第３掛止桿４３，４３が設けられている。第２掛止桿４２の左方横棒４２ａの右端部と第３掛止桿４３の左方横棒４３ａの右端部には、第１掛止桿４１と第２掛止桿４２の間に設けられているものと同様な、連結部材６が設けられている。
本実施形態では、一対の第１支柱３１，３１間に架設された３本の掛止桿４と、一対の第２支柱３２，３２間に架設された３本の掛止桿４によって衣服ハンガーが掛止されるため、さらにより多くの衣服ハンガーを収納することができる。
なお、本実施形態においても、第２実施形態と同様に、一対の第１支柱３１，３１間及び一対の第２支柱３２，３２間に設けられた第２掛止桿４２及び／又は第３掛止桿４３を第１掛止桿４１の斜め下方に配置してもよい。
【００４５】
［第１５実施形態］
図２３は、第１５実施形態に係る衣服ハンガー収納具１の斜視図であり、図２４は、図２３の衣服ハンガー収納具１の内側を透視した斜視図である。図２４において、カバー部材８を、便宜上、２点鎖線で描いている。
第１５実施形態に係る衣服ハンガー収納具１は、外形が四角柱状に構成された枠体７と、該枠体７の外側を覆うカバー部材８と、を有する。
具体的には、図２３に示すように、本実施形態に係る衣服ハンガー収納具１は、枠体７を有しており、枠体７は、一対の梯子状の支持部材３，３と、一対の支持部材３，３の下端部に架設された補強桿５と、一対の支持部材３，３の上方に架設された上棚部材７１と、上棚部材７１から下方に延出された一対の延出桿７２，７２と、一対の延出桿７２，７２に架設された掛止桿４（第１及び第２掛止桿４１，４２）と、を有する。
を有する。
【００４６】
梯子状の支持部材３は、中入れ式の第１支柱３１と、中入れ式の第２支柱３２と、両支柱間３１，３２の間隔を保持する３本の間隔保持部材３３を有する。第１支柱３１と第２支柱３２は、後述するカバー部材８を被せるため、同じ高さとなるように調整されている。本実施形態では、一対の第１支柱３１，３１の下端部及び上端部、並びに、一対の第２支柱３２，３２の下端部及び上端部が、それぞれ、補強桿５によって架け渡されている。なお、一対の第１支柱３１，３１の上端部に設けられた補強桿５は、後述するカバー部材８（前面カバー８４）のカーテンレールとして用いることができる。
支持部材３の上方には、一対の第１支柱３１，３１と一対の第２支柱３２，３２に跨がった上棚部材７１が設けられている。上棚部材７１は、矩形状の外枠部７１１と、該外枠部７１１の内側に設けられ且つ複数の棒状部材から構成された載置部７１２と、を有する。外枠部７１１は、上棚部材７１と支持部材３を固定する部分であり、載置部７１２は、荷物を載置する載置面を構成する部分である。
【００４７】
上棚部材７１の外枠部７１１は、第１支柱３１と第２支柱３２の間に架設された２本の短手部７１１ａと、一対の支持部材３，３間（一方の第１支柱３１と他方の第１支柱３１の間、及び、一方の第２支柱３２と他方の第２支柱３２の間）に架設された２本の長手部７１１ｂと、を有する。そして、２本の短手部７１１ａ，７１１ａの中央部から下方に延出桿７２がそれぞれ延出されている。一対の延出桿７２，７２の中央部やや下方に、第１掛止桿４１が架設されており、第１掛止桿４１の下方に間隔をあけて第２掛止桿４２が架設されている。即ち、本実施形態では、第１掛止桿４１及び第２掛止桿４２は、一対の延出桿７２，７２及び上棚部材７１の短手部７１１ａを介して、間接的に一対の支持部材３，３間に架設されている。
本実施形態では、枠体７の内側に第１掛止桿４１及び第２掛止桿４２が設けられているため、枠体７の内側に多数の衣服ハンガーを収納することができ、さらに、上棚部材７１によって衣服ハンガー以外の物を枠体７内に収納することが可能である。
なお、本実施形態においても、第２実施形態と同様に、第２掛止桿４２を第１掛止桿４１の斜め下方に配置してもよい。
【００４８】
カバー部材８は、枠体７内に収納された衣服ハンガーなどを隠蔽すると共に、衣服ハンガーを防塵する部材である。カバー部材８は、枠体７の周囲に設けられている。具体的には、図２３及び図２４に示すように、カバー部材８は、枠体７の右側面を覆う右側面カバー８１と、枠体７の左側面を覆う左側面カバー８２と、枠体７の天井面を覆う天井カバー８３と、枠体７の前面を覆う前面カバー８４と、を有する。
前面カバー８４は開閉可能な構造を有していることが好ましい。例えば、本実施形態では、前面カバー８４は、図に示すようなアコーディオンカーテンであり、枠体７前面の中央部を境界にして右カーテン部８４ａと左カーテン部８４ｂに分離可能である（この場合、一対の第１支柱３１，３１の上端部間に架設された補強桿５をカーテンレールとして用いることができる）。
前面カバー８４が開閉可能であれば、前面カバー８４を開状態にすることで、衣服ハンガーを、容易に収納する又は容易に取り出すことができる。また、衣服ハンガーを収納しない又は取り出さない場合、前面カバー８４を閉状態にすることで、衣服ハンガー収納具１に収納された物を容易に隠蔽することができる。
【００４９】
カバー部材８の材料は、特に限定されず、各種の天然繊維、合成繊維、又は天然繊維と合成繊維を複合した複合繊維などを用いることが可能である。
【００５０】
なお、特に図示しないが、枠体７を構成する補強桿５、上棚部７１、及び掛止桿４は、中入れ式の構造を有していてもよい。これらの部材が中入れ式の構造を有することにより、枠体７を左右に伸縮させることができる。なお、このような枠体を採用する場合、天井カバー８３は、枠体７の伸縮に対応して伸縮可能な構造を有する。例えば、天井カバー８３は、左右の２部品に分割されており、一方の部品が他方の部品に重なり合わさった構造を有する（不図示）。この場合、両部品が重なり合った部分の面積を変更することにより、天井カバー８３全体の長さを左右に伸縮させることができる。
【００５１】
第１乃至第１５実施形態に示す本考案の衣服ハンガー収納具１は、複数の掛止桿４（少なくとも、第１掛止桿４１と第２掛止桿４２）を有するため、多数の衣服ハンガーを収納することができる。
本考案は、各実施形態に限定されず、各実施形態で説明した衣服ハンガー収納具１の特徴を適宜組み合わせることも可能であるし、各実施形態で説明した衣服ハンガー収納具１から必須でない構成部材（例えば、補強桿５など）を省略することも可能である。
【符号の説明】
【００５２】
１…衣服ハンガー収納具、２…台座、３…支持部材、４…掛止桿、４１…第１掛止桿、４１０…第１掛止桿の軸芯、４２…第２掛止桿、４２０…第２掛止桿の軸芯、５…補強桿、６…連結部材、７…枠体、８…カバー部材、Ｘ…仮想直線、Ｙ…鉛直線
【図１】
0003199524.tif 000003
【図２】
0003199524.tif 000004
【図３】
0003199524.tif 000005
【図４】
0003199524.tif 000006
【図５】
0003199524.tif 000007
【図６】
0003199524.tif 000008
【図７】
0003199524.tif 000009
【図８】
0003199524.tif 000010
【図９】
0003199524.tif 000011
【図１０】
0003199524.tif 000012
【図１１】
0003199524.tif 000013
【図１２】
0003199524.tif 000014
【図１３】
0003199524.tif 000015
【図１４】
0003199524.tif 000016
【図１５】
0003199524.tif 000017
【図１６】
0003199524.tif 000018
【図１７】
0003199524.tif 000019
【図１８】
0003199524.tif 000020
【図１９】
0003199524.tif 000021
【図２０】
0003199524.tif 000022
【図２１】
0003199524.tif 000023
【図２２】
0003199524.tif 000024
【図２３】
0003199524.tif 000025
【図２４】
0003199524.tif 000026